(57)【要約】  【課題】鍵盤あるいは発音される楽音の音色についてのパラメータの設定を容易に行うことができ、操作性が向上された電子楽器を提供すること。  【解決手段】発音鍵域や音色などが設定される各系列に対してオン／オフスイッチ３−３とセレクトスイッチ３−４を設ける。オン／オフスイッチ３−３をオンすればその系列に対する設定が有効となる。セレクトスイッチ３−４をオンすればその系列の発音鍵域や音色などの設定が可能になる。オン／オフスイッチ３−３内蔵のＬＥＤは、発音鍵域が全鍵域であるとき赤色点灯し、一部鍵域であるとき緑色点灯する。セレクトスイッチ３−４のオンに伴ってその系列の発音鍵域や音色などの設定が可能になり、オフに伴って他の系列の発音鍵域や音色などの設定が可能になる。  【選択図】図１
2006201348.tif 000002
【特許請求の範囲】
【請求項１】
複数の系列をもち、その各々に対して発音される楽音についてのパラメータが設定され、該パラメータに基づく発音を行う電子楽器において、
各系列の発音を可能とするか否かを指示するオン／オフスイッチおよび対応ＬＥＤと、
前記パラメータの設定を行う系列を択一的に指示するセレクトスイッチおよび対応ＬＥＤと、
各系列におけるパラメータを設定するための設定操作部を備え、
前記オン／オフスイッチがオンされて対応ＬＥＤが点灯して発音可能になったとき、それに伴ってその系列の前記セレクトスイッチの対応ＬＥＤが点灯すると共に、前記設定操作部を用いて該系列のパラメータの設定が可能となることを特徴とする電子楽器。
【請求項２】
前記セレクトスイッチの対応ＬＥＤが点灯している系列のオン／オフスイッチの対応ＬＥＤが消灯されたとき、それに伴ってオン／オフスイッチの対応ＬＥＤが点灯している他の系列のうちの１つのセレクトスイッチの対応ＬＥＤが点灯すると共に、前記設定操作部を用いて該点灯した系列のパラメータの設定が可能となることを特徴とする請求項１に記載の電子楽器。
【請求項３】
複数の系列をもち、その各々に対して発音される楽音の鍵域についてのパラメータが設定され、該パラメータに基づく発音を行う電子楽器において、
各系列の発音を可能とするか否かを指示するオン／オフスイッチおよび対応ＬＥＤと、
各系列におけるパラメータを設定するための設定操作部を備え、
前記対応ＬＥＤは、前記パラメータが鍵盤の全鍵域の発音を可能とするか一部の鍵域の発音を可能とするかに応じて異なる表示形態となることを特徴とする電子楽器。
【請求項４】
前記対応ＬＥＤ表示部の異なる表示形態は、前記パラメータが鍵盤の全鍵域の発音を可能とする場合には第１の表示色であり、一部の鍵域の発音を可能とする場合には第１の表示色とは異なる第２の表示色であることを特徴とする請求項３に記載の電子楽器。
【発明の詳細な説明】
【技術分野】
【０００１】
本発明は、電子楽器に関し、特に、鍵盤あるいは発音される楽音についてのパラメータの設定を容易に行うことができ、操作性が向上された電子楽器に関する。
【背景技術】
【０００２】
電子ピアノなどの電子楽器には、鍵盤の全鍵域に１つの音色を割り当てて発音させるノーマルモードの他に、鍵盤を複数の鍵域に分け、左手でベース、右手でメロディなど、それぞれの鍵域に異なった音色に割り当てて楽音を出力させるスプリットモードや１つの鍵に複数の音色を割り当て、該鍵が押鍵されたときそれら音色の楽音を同時に出力させるデュアルモードを備えたものがある。
【０００３】
このような電子楽器を用いて演奏を行う場合、演奏者は、予め発音鍵域や音色を設定しておき、演奏時にはこれら選択操作してノーマルモードやスプリットモードやデュアルモードでの演奏を可能する。このとき、どのモードにあるかはＬＥＤなどの表示器で表示される。
【０００４】
特許文献１には、操作子の短時間操作でノーマル演奏とスプリット演奏の切り替えを可能にし、操作子の長時間操作で音色確認を可能にした電子楽器が記載されている。
【０００５】
特許文献２には、第１の押鍵操作で鍵盤分割ポイントを設定し、その後の第２の押鍵操作で第１の押鍵位置から第２の押鍵位置に対応した鍵域側へ予め選択されている音色を割り当てるようにし、鍵盤分割ポイントの設定および鍵域間での音色入れ替えを鍵盤操作で可能にした電子楽器が記載されている。
【特許文献１】特開平８−１３７４７２号公報
【特許文献２】特開平６−７５５７２号公報
【発明の開示】
【発明が解決しようとする課題】
【０００６】
鍵盤あるいは発音される楽音の音色についてのパラメータを種々に切り替えて演奏可能な電子楽器では、それらのパラメータを簡単にスピーディに、しかもそれを種々に切り替え設定して演奏し得ること、また、現在の設定状態を容易に認識し得ることが望ましい。
【０００７】
従来、電子楽器では現在どのモードにあるかをＬＥＤなどの表示器で表示しているが、鍵盤の発音鍵域が全鍵域に設定されているときでも一部鍵域に設定されているときでもＬＥＤは点灯する。このため、演奏者は、ＬＥＤを見ただけでは両者の区別はできず、実際に押鍵して始めてそれを認識するできるか、演奏前に予め設定状態を呼び出してＬＣＤなどの表示部に表示させるという発音鍵域設定時と同様の操作を行ってそれを認識することができた。
【０００８】
複数の発音鍵域や音色などを予め設定し、それらを適宜有効にしてスプリットモードやデュアルモードなどでの演奏を可能とするために、複数系列の各々に各発音鍵域や音色などを設定し、各系列での設定を有効／無効にし得るオン／オフスイッチを設け、また、各オン／オフスイッチに対応させて発音鍵域や音色などを設定可能するためのセレクトスイッチを配置することを考えた場合、発音鍵域や音色など設定の操作性がよいこと、限られた操作パネル構成で違和感のない操作を可能にすることが望まれる。
【０００９】
本発明の目的は、上記課題にかんがみ、鍵盤あるいは発音される楽音についてのパラメータの設定を容易に行うことができ、操作性が向上された電子楽器を提供することにある。
【課題を解決するための手段】
【００１０】
上記目的を達成するために、本発明は、複数の系列をもち、その各々に対して発音される楽音についてのパラメータが設定され、該パラメータに基づく発音を行う電子楽器において、各系列の発音を可能とするか否かを指示するオン／オフスイッチおよび対応ＬＥＤと、前記設定を行う系列を択一的に指示するセレクトスイッチおよび対応ＬＥＤと、各系列におけるパラメータを設定するための設定操作部を備え、前記オン／オフスイッチがオンされて対応ＬＥＤが点灯して発音可能になったとき、それに伴ってその系列の前記セレクトスイッチの対応ＬＥＤが点灯すると共に、前記設定操作部を用いて該系列のパラメータの設定が可能となる点に第１の特徴がある。
【００１１】
また、本発明は、前記セレクトスイッチの対応ＬＥＤが点灯している系列のオン／オフスイッチの対応ＬＥＤが消灯されたとき、それに伴ってオン／オフスイッチの対応ＬＥＤが点灯している他の系列のうちの１つのセレクトスイッチの対応ＬＥＤが点灯すると共に、前記設定操作部を用いて該点灯した系列のパラメータの設定が可能となる点に第２の特徴がある。
【００１２】
また、本発明は、複数の系列をもち、その各々に対して発音される楽音の鍵域についてのパラメータが設定され、該パラメータに基づく発音を行う電子楽器において、各系列の発音を可能とするか否かを指示するオン／オフスイッチおよび対応ＬＥＤと、各系列におけるパラメータを設定するための設定操作部を備え、前記対応ＬＥＤは、前記パラメータが鍵盤の全鍵域の発音を可能とするか一部の鍵域の発音を可能とするかに応じて異なる表示形態となる点に第３の特徴がある。
【００１３】
さらに、本発明は、前記対応ＬＥＤ表示部の異なる表示形態が、前記パラメータが鍵盤の全鍵域の発音を可能とする場合には第１の表示色であり、一部の鍵域の発音を可能とする場合には第１の表示色とは異なる第２の表示色である点に第４の特徴がある。
【発明の効果】
【００１４】
本発明は、オン／オフスイッチのオンに伴ってその系列における発音鍵域や音色などについてのパラメータの設定を可能にすることにより、その系列におけるもろもろのパラメータの設定の操作性をよくすることができる。また、それまでオンになっていた系列のオン／オフスイッチのオフに伴ってオン／オフスイッチがオンの他の系列における発音鍵域や音色などについてのパラメータの設定を可能にすることにより、その系列におけるもろもろのパラメータの設定の操作性をよくすることができる。これらにより、限られた操作パネル構成で違和感のないスピーディな操作を可能にすることができる。
【００１５】
また、パラメータが発音される楽音の鍵域についてのパラメータである場合、各系列に対して設定されたパラメータが鍵盤の全鍵域の発音を可能にするか一部の鍵域の発音を可能にするか対応ＬＥＤの表示形態により容易に認識できる。
【発明を実施するための最良の形態】
【００１６】
以下、図面を参照して本発明を説明する。図１は、本発明に係る電子楽器の一実施形態を示すブロック図である。同図において、ＭＰＵ１は、ＲＯＭおよびＲＡＭを内蔵し、ＲＯＭに格納されている制御プログラムに従って電子楽器全体の制御を行う。ＲＯＭは、制御プログラムの他、複数の音色パラメータやエフェクトについてのパラメータなど、演奏状態を設定するための各種パラメータを記憶している。ＲＡＭは、ＭＰＵ１のワークエリアとして使用され、また、各種レジスタのデータを一時記憶するバッファとしても使用される。このＲＡＭは、例えばバッテリによりバックアップされていてもよい。
【００１７】
ＭＰＵ１は、タイマ割り込み回路の他、ＭＩＤＩインタフェース(MIDIin，MIDIout)２−１、２−２との接続用シリアルポートも備えている。ＭＩＤＩインタフェース２−１、２−２は、外部ＭＩＤＩ機器との間においてＭＩＤＩメッセージのやり取りを行う信号送受信回路である。
【００１８】
操作パネル３は、演奏時の状態を設定するための各種パネルスイッチを有し、後述するような外観構成を有する。パネルインタフェース(I/F)４は、操作パネル３をスキャンしてパネルスイッチのオン／オフを示すスイッチイベント情報を生成し、また、操作パネル３に配置されたＬＣＤなどのディスプレイ（以下、ＬＣＤと称す。）をドライブしてＭＰＵ１からの各種設定情報などを表示させる。スイッチイベント情報は各パネルスイッチに対応付けられてＭＰＵ１のＲＡＭに記憶される。
【００１９】
キーボード（鍵盤）５は複数のキー（鍵）を有し、それぞれのキーのオン／オフを示すキーイベント情報や押鍵強さつまりベロシティを示すタッチ情報を検知するための、例えば２つのセンサを有している。キーボードＩ／Ｆ６は、前記センサをスキャンしてその状態に基づくキーイベント情報やタッチ情報を生成する。これらの情報はキーナンバに対応付けられてＭＰＵ１のＲＡＭに記憶される。
【００２０】
エックスプレッションペダル７の操作によるイベント情報はＡ／Ｄ変換器８でデジタル情報に変換された後、ＭＰＵ１のＲＡＭに記憶される。フットスイッチ９の操作によるオン／オフのイベント情報もＭＰＵ１のＲＡＭに記憶される。
【００２１】
ＲＡＭに記憶されたイベント情報は適宜トーン発生器１０に入力される。トーン発生器１０は、波形読み出し方式によりイベント情報に基づく楽音信号を発生する回路であり、デジタル楽音波形サンプル値が記憶されている波形メモリから、発音すべき音高に比例したアドレス間隔で順次波形データを読み出し、補間演算を行って楽音波形信号を発生させる。また、トーン発生器１０は、エンベロープ発生回路を有し、設定されたエンベロープパラメータに基づいて発生したエンベロープ信号を楽音波形信号に乗算してエンベロープを付与し、楽音信号を出力する。トーン発生器１０は、複数、例えば３２の楽音発生チャネルを有しているが、実際には、１つのトーン発生器を時分割多重動作させることにより同時に複数の楽音信号を独立して発生可能に構成されている。
【００２２】
エフェクタ１１はＤＳＰ(Digital Signal Processor)を備え、操作パネル３の操作に従って、トーン発生器１０で発生された楽音に対してリバーブ、エコーなどの各種エフェクトを付与することができる。
【００２３】
Ｄ／Ａ変換器１２はデジタル楽音信号をアナログ信号に変換するものであり、このアナログ信号がサウンドシステム１３に与えられて楽音が出力される。
【００２４】
図２は、操作パネル３の外観構成を示す正面図である。この操作パネル３は、ホイール（ピッチベンドコントロール用、モジュレーションコントロール用）３−１、メインボリューム３−２、キーボード５の発音鍵域や音色などのパラメータの設定を有効／無効（オン／オフ）にするためのオン／オフスイッチ３−３、発音鍵域や音色などのパラメータを択一的に設定可能に指示するためのセレクトスイッチ３−４、音量バランス調整用ボリューム３−５、内部出力(INT)および外部出力(EXT)表示用ＬＥＤ３−６を有する。
【００２５】
オン／オフスイッチ３−３とセレクトスイッチ３−４と音量バランス調整用ボリューム３−５と内部出力(INT)および外部出力(EXT)表示用ＬＥＤ３−６は、ここでは４系列分配置されており、これにより４つの発音鍵域や音色などのパラメータを個別に設定することができる。これを２系列分とすればスプリットモードやデュアルモードでの演奏が可能となり、３系列分以上とすればさらに音色を重畳させたりしての演奏が可能となる。オン／オフスイッチ３−３とセレクトスイッチ３−４はＬＥＤを内蔵し、現在それがオンかオフかをその点灯、消灯で知らせる。
【００２６】
操作パネル３は、さらに、エフェクトやイコライザやトーンモディファイやＭＩＤＩ ＣＣ(Control Change)パラメータ設定用スイッチ群３−７、ロックスイッチ３−８、エフェクトオン／オフスイッチ３−９、リバーブオン／オフスイッチ３−１０、メニュー表示用アップ／ダウンスイッチ(MENU)３−１１、ＬＣＤ３−１２、パラメータ値選択用アップ／ダウンスイッチ(VALUE)３−１３、音色設定用スイッチ３−１４、レジスト選択および呼出用スイッチ３−１５、レジスト登録用スイッチ３−１６を有する。ＬＣＤ３−１２は、例えば２×１６文字を表示することができる。
【００２７】
電子楽器では電源投入時などの初期状態においては最もシンプルなモードの標準状態、すなわち、ノーマルモードの標準状態に設定されるのが普通であるが、操作パネル３におけるスイッチを操作することによりそれとは異なる設定状態や演奏モードにすることができる。その際のメニューや操作指示や設定状態はＬＣＤ３−１２に表示される。
【００２８】
以下に、オン／オフスイッチ３−３（ＳＷ１〜ＳＷ４）とセレクトスイッチ３−４（ＳＷ１’〜ＳＷ４’）の操作によって発音鍵域と音色のパラメータが設定可能にされた例について説明するが、本発明は、発音鍵域、音色、あるいはその他の鍵盤あるいは発音される楽音についてのパラメータのうち少なくとも１つの設定が可能なものを含む。
【００２９】
例えば、オン／オフスイッチ３−３のうち系列１のＳＷ１をオンすると、系列１に対して設定されている発音鍵域が有効になり、その旨をＳＷ１内蔵のＬＥＤが点灯して知らせる。このＬＥＤは、設定された発音鍵域がキーボード５の全鍵域か一部鍵域かに応じて異なる表示形態となる。例えば、発音鍵域がキーボード５の全鍵域である場合には赤色で点灯し、一部鍵域である場合には緑色で点灯する。これにより、ＳＷ１を押した段階で、系列１に対して設定されている発音鍵域がキーボード５の全鍵域であるか一部鍵域であるかを知ることができる。
【００３０】
また、系列１に対して現在設定されている音色、例えば「1.AC. Bass」がＬＣＤ３−１２に表示される。ＳＷ１内蔵のＬＥＤが赤色または緑色に点灯しているときには、系列１に対して設定されている発音鍵域および音色を使用して演奏可能である。
【００３１】
系列１のセレクトスイッチＳＷ１’を長押し、例えば数秒押してオンすれば、系列１に対して現在設定されている発音鍵域(ゾーン)がＬＣＤ３−１２に表示され、ＳＷ１’内蔵のＬＥＤが点灯する。例えば、ＬＣＤ３−１２の上列にINTセクション（内部出力）の発音鍵域「1.Key Range(I)A-1＞C 7」が表示され、下列にEXTセクション（外部出力）の発音鍵域「1.Key Range(E)A-1＞C 7」が表示される。この場合に設定されている発音鍵域はキーボード５の全鍵域であるので、ＳＷ１内蔵のＬＥＤは赤色に点灯する。
【００３２】
ここで、系列１に対して設定されている発音鍵域を変える場合には、ＳＷ１’を押したまま、まず、左手の最低鍵、例えば「A-1」を押鍵する。これによりＬＣＤ３−１２の表示は「1.Key Range(Both)A-1＞---」に変わり、発音鍵域の最低鍵が設定される。なお、「(Both)」は、INTセクションとEXTセクションの両者に対する発音鍵域であることを表している。これらを別々に設定することも可能である。
【００３３】
次に、ＳＷ１’を押したまま、左手の最高鍵、例えば「B 2」を押鍵する。これによりＬＣＤ３−１２の表示は「1.Key Range(Both)A-1＞B 2」となり、発音鍵域の最高音が設定される。なお、第１回目の押鍵よりも第２回目の押鍵の方が低い場合には、自動的に左右が入れ替わって設定される。ここで、ＳＷ１’を放せば、系統１に対する発音鍵域「A-1＞B 2」が確定する。この場合に設定された発音鍵域はキーボード５の一部鍵域であるので、ＳＷ１内蔵のＬＥＤは緑に点灯する。
【００３４】
ＳＷ１を再度押してこれをオフにすれば赤色あるいは緑色の表示が消灯し、系統１に対して設定されている発音鍵域や音色を利用しない演奏が可能になる。
【００３５】
なお、ＳＷ１がオフの状態でも、ＳＷ１’を短押しすれば現在設定されている音色をＬＣＤ３−１２に表示させることができ、この状態で音色設定用スイッチ３−１４により音色を変えることができる。また、ＳＷ１’を長押しすれば現在設定されている発音鍵域をＬＣＤ３−１２に表示させることができ、この状態で上述と同様の操作を行うことにより発音鍵域を変えることができる。
【００３６】
以上では系列１に対する発音鍵域と音色を設定する場合について説明したが、他の系列２〜４についても同様にして発音鍵域や音色を設定できる。ここで、キーボード５の全鍵域を例えば系列１、２に分割し、異なる音色を割り当てればＳＷ１、ＳＷ２の両者をオンとすることによりスプリットモードでの演奏が可能になる。また、ＳＷ１、ＳＷ２に重複する発音鍵域を設定すればＳＷ１、ＳＷ２の両者をオンとすることにより重複部分のキーを押鍵してデュアルモードでの演奏が可能になる。例えば、系列２に対しては右手の発音鍵域「C 3＞C 7」を設定でき、系列３，４に対しては系列１，２で設定された発音鍵域と重なる鍵域を発音鍵域、異なる音色を設定することができる。
【００３７】
発音鍵域の設定操作を容易にするために、オン／オフスイッチ３−３がオンされたとき、それに伴ってその系列のセレクトスイッチ３−４内蔵のＬＥＤをオンにするのがよい。
【００３８】
図８は、この動作の説明図である。例えば、系列１、３のオン／オフスイッチＳＷ１、ＳＷ３内蔵のＬＥＤがオンとなっている状態で系列２のオン／オフスイッチＳＷ２を押してオンにすると、ＳＷ２内蔵のＬＥＤが点灯して系列２に対する設定が、系列１、３とともに有効になったことを示す。これに伴ってセレクトスイッチ３−４は系列２のスイッチＳＷ２’内蔵のＬＥＤが点灯して系列２に対する発音鍵域や音色が設定可能状態になったことを示す。このとき、ＬＣＤ３−１２は、系列２に対して現在設定されている音色、例えば「2.Strings」を表示する。ここで音色設定用スイッチ３−１４により音色を変更することができ、ＳＷ２’を長押しすることにより系列２に対して設定されている発音鍵域を表示させてその設定を変更することができる。
【００３９】
また、発音鍵域の設定操作を容易にするために、オン／オフスイッチ３−３内蔵のＬＥＤがオフされたとき、それに伴って、オンとなっている他の系列のセレクトスイッチ３−４内蔵のＬＥＤをオンにするのがよい。
【００４０】
図９は、この動作の説明図である。図８の状態でＳＷ２を再度押してオフにすると、ＳＷ２内蔵のＬＥＤが消灯してその設定が無効になったことを示す。これに伴ってＳＷ２’内蔵のＬＥＤが消灯するとともに、現在オンの系統１、３のうちの１つ、例えば系統１のＳＷ１’内蔵のＬＥＤが点灯して系統１に対する発音鍵域や音色が設定可能状態になったことを示す。また、ＬＣＤ３−１２は、系統１に対して現在設定されている音色、例えば「1.Concert Pioano」を表示する。音色設定用スイッチ３−１４により音色を変更することができ、ＳＷ１’を長押しすることにより系列２に対して設定されている発音鍵域を表示させてその設定を変更することができる。なお、オン／オフスイッチ３−３内蔵のＬＥＤのオフに伴って現在オンの系列のうちのどの系統を設定可能状態にするかは適宜設計されることであり、上記例では小さいナンバの系列としている。
【００４１】
次に、ロックスイッチ３−８の操作によるロック設定について説明する。ロックスイッチ３−８は、ロックを設定／解除(オン／オフ)するために操作される。ロックには複数のロックタイプ、例えばホイールロック、パネルロック、エックスプレッションペダルロック、フットスイッチロックがある。ホイールロックではホイール３−１の操作が無効にされ、パネルロックではパネルスイッチ３−３〜３−１１、３−１３〜３−１６の操作が無効にされ、エックスプレッションペダルロックではエックスプレッションペダル７の操作が無効にされ、フットスイッチロックではフットスイッチ９の操作が無効にされる。どのタイプのロックを有効とするかはパラメータ値選択用アップ／ダウンスイッチ(VALUE)３−１３で選択される。
【００４２】
ロックスイッチ３−８を操作してロックオンにすると現在のロックタイプがＬＣＤ３−１２で表示される。例えば現在のロックタイプがパネルロックであるとすると、ＬＣＤ３−１２には「Lock Type 1:Panel Lock」が表示される。このときロックスイッチ３−８を再度操作してロックオフとすればパネルロックは解除される。
【００４３】
ロックタイプの変更は、ロックスイッチ３−８とパラメータ値選択用アップ／ダウンスイッチ(VALUE)３−１３で行うことができる。例えばパネルロックからホイールロックへの変更は、現在のロックタイプ「Lock Type 1:Panel Lock」を呼び出し、パラメータ値選択用アップ／ダウンスイッチ(VALUE)３−１３でロックタイプ「Lock Type 2:Wheel Lock」を選択すればよい。その他、エックスプレッションペダルロックやフットスイッチロックへの変更も、パラメータ値選択用アップ／ダウンスイッチ(VALUE)３−１３により「Lock Type 3:Expression Pedal Lock」、「Lock Type 4:Foot Switch Lock」を選択すればよい。
【００４４】
なお、上記ロックタイプの１つに限らず、それらを複数組み合わせてロック範囲とすることができるようにすることが好ましい。これにより簡単な操作で必要部分を適宜選択してロックすることができる。どのようにロック範囲を決めるかも任意である。キーボード５やメインボリューム３−２以外の全ての操作子のロックを可能にするようにすることも好ましくい。
【００４５】
パネルロックの状態で操作パネル３のパネルスイッチが操作されると、ＬＣＤ３−１２は、現在パネルロック状態にある旨を表示する。さらに必要ならばその操作を有効にするにはパネルロックを解除する必要がある旨を表示する。これにより演奏者は、操作パネル３のスイッチ操作が有効にならないのはパネルロックによるものであることを容易に認識でき、装置不具合と区別できる。これをＬＣＤ３−１２以外のＬＥＤなどの表示器で報知させることもできる。
【００４６】
ロック設定された場合、ロックされた操作部についてのパラメータは、ロック状態に設定された時点の該操作部の操作状態に対応するパラメータに固定するようにすることができる。例えば、ホイールロックの場合、ホイールロックがなされたときのホイール３−１の設定状態のパラメータが固定値として設定される。このようにすることにより、ロックスイッチ３−８のオン／オフでピッチベンドやモジュレーションを任意の固定値とした演奏とそれを変更できる状態での演奏とに容易に切り換えることができる。
【００４７】
また、エックスプレッションペダルロックの場合にも、エックスプレッションペダル７のある位置でロック操作すれば、ロックスイッチ３−８のオン／オフでロック状態での固定値の音量での演奏とペダルによりコントロールし得る音量での演奏とに容易に切り換えることができる。
【００４８】
図３および図４は、ＭＰＵ１でメインルーチンの一例を示すフローチャートであり、ここでは特にロック処理について詳細に示している。まず、電源が投入されたとき、ＭＰＵ１、トーン発生器１０を構成するＬＳＩ等を初期化する（Ｓ３１）。次に、ロック機能のオン／オフおよび割り当て変更処理を実行する（Ｓ３２）。この処理の詳細は後述する。次に、ロックスイッチ３−８以外のパネルスイッチのオンイベントの有無を判定する（Ｓ３３）。Ｓ３３でオンイベント有りと判定されれば、ロックオンか否かを判定し（Ｓ３４）、ここでロックオンと判定された場合にはさらにパネルロックがオンであるか否かを判定する（Ｓ３５）。Ｓ３５でパネルロックがオンであると判定されれば、ＬＣＤ３−１２でパネルロックがオン状態である旨を所定時間（例えば１秒間）割込表示させるとともに、Ｓ３３で判定されたオンイベントを無効にする（Ｓ３６）。Ｓ３５でパネルロックがオンでないと判定されれば、オン／オフスイッチ処理（Ｓ３７）、セレクトスイッチ処理（Ｓ３８）、その他のパネルスイッチ処理（Ｓ３９）を順次実行する。
【００４９】
オン／オフスイッチ処理（Ｓ３７）およびセレクト処理（Ｓ３８）では、系列１〜４に対して設定されているパラメータを有効としたり、該パラメータを設定し直したりする。これらの処理の詳細は後述する。その他のパネルスイッチ処理（Ｓ３９）は従来の電子楽器でのパネルスイッチ処理と同様である。
【００５０】
Ｓ３３でロックスイッチ３−８以外のパネルスイッチのオンイベント無しと判定された場合およびＳ３６、Ｓ３９の処理後には、続いてホイール３−１のイベントの有無を判定する（Ｓ４０）。Ｓ４０でイベント有りと判定されれば、ロックロックオンか否かを判定し（Ｓ４１）、ここでロックオンと判定された場合にはさらにホイールロックがオンであるか否かをを判定する（Ｓ４２）。Ｓ４２でホイールロックがオンであると判定されれば、ＬＣＤ３−１２にホイールロックがオン状態である旨を所定時間表示するとともに、Ｓ４０で判定されたイベントを無効にする（Ｓ４３）。Ｓ４２でホイールロックがオンでないと判定されれば、ホイール処理（Ｓ４４）を実行する。
【００５１】
Ｓ４０でホイールのイベント無しと判定された場合およびＳ４３、Ｓ４４の処理後には、続いてエックスプレッションペダル７のイベントの有無を判定する（Ｓ４５）。Ｓ４５でイベント有りと判定されれば、ロッククオンか否かを判定し（Ｓ４６）、ここでロックオンと判定された場合にはさらにエックスプレッションペダルロックがオンであるか否かをを判定する（Ｓ４７）。Ｓ４７でエックスプレッションペダルロックがオンであると判定されれば、ＬＣＤ３−１２にエックスプレッションペダル７がオン状態である旨を所定時間表示するとともに、Ｓ４５で判定されたイベントを無効にする（Ｓ４８）。Ｓ４７でエックスプレッションペダルロックがオンでないと判定されれば、エックスプレッション処理（Ｓ４９）を実行する。
【００５２】
Ｓ４５でエックスプレッションペダル７のイベント無しと判定された場合およびＳ４８、Ｓ４９の処理後には、続いてフットスイッチ９のイベントの有無を判定する（Ｓ５０）。Ｓ５０でイベント有りと判定されれば、ロックオンか否かを判定し（Ｓ５１）、ここでロックオンと判定された場合にはさらにフットスイッチロックがオンであるか否かをを判定する（Ｓ５２）。Ｓ５２でフットスイッチロックがオンであると判定されれば、ＬＣＤ３−１２にフットスイッチ９がオン状態である旨を所定時間表示するとともに、Ｓ５０で判定されたイベントを無効にする（Ｓ５３）。Ｓ５２でフットスイッチロックがオンで無いと判定されれば、フットスイッチ処理（Ｓ５４）を実行する。
【００５３】
Ｓ５０でフットスイッチ９のイベント無しと判定された場合およびＳ５３、Ｓ５４の処理後には、キーボード５のキースイッチイベントの有無を判定する（Ｓ５５）。Ｓ５５でキースイッチイベント有りと判定されれば、系列毎に内部出力／外部出力(INT/EXT)および発音範囲をチェックし、そのチェック結果に従って発音処理やMIDI OUT処理を実行する（Ｓ５６）。Ｓ５５でキースイッチイベント無しと判定された場合およびＳ５６の処理後には、操作パネル３の各ボリューム処理を実行し（Ｓ５７）、Ｓ３２に戻る。
図５は、ロック機能のオン／オフおよび割り当て変更処理（Ｓ３２）を示すフローチャートである。まず、ロックスイッチ３−８のオンイベントの有無を判定し（Ｓ５８）、無いと判定されればこの処理を抜けるが、有る判定されれば現在ロックがオフであるか否かを判定する（Ｓ５９）。ここで現在ロックがオンでない、つまりオンであると判定されれば、ロックオンをロックオフに変更した（Ｓ６０）後、この処理を抜ける。なお、このときロックスイッチ３−８内蔵のＬＥＤを消灯させる。
【００５４】
Ｓ５９で現在ロックがオフであると判定されれば、ロックオンにする（Ｓ６１）とともに、ＬＣＤ３−１２に現在のロックタイプを表示する（Ｓ６２）。次に、パラメータ値選択用アップ／ダウンスイッチ(VALUE)３−１３のオンイベントの有無を判定し（Ｓ６３）、オンイベント無しと判定されればこの処理を抜けるが、有ると判定されれば該イベントに従ってロックタイプを変更し、それを記憶するとともにＬＣＤ３−１２に表示する（Ｓ６４）。その後、この処理を抜ける。
【００５５】
図６は、オン／オフスイッチ処理（Ｓ３７）を示すフローチャートである。まず、オン／オフスイッチ３−３のオンイベントの有無を判定し（Ｓ６５）、オンイベント有りと判定されれば、オンイベント有りの系列のセレクトスイッチ３−４内蔵のＬＥＤを点灯し、他の系列のセレクトスイッチ３−４内蔵のＬＥＤを消灯する（Ｓ６６）。次に、オンイベントの系列のナンバ(No.・・)とその音色名をＬＣＤ３−１２に表示し（Ｓ６７）、オンイベントの系列のオン／オフスイッチ３−３内蔵のＬＥＤを点灯する（Ｓ６８）。ここで、ＬＥＤは、発音範囲がキーボード５の全鍵域ならば赤色で点灯させ、一部鍵域ならば緑色で点灯させる。
【００５６】
Ｓ６５でオンイベント無しと判定された場合には、オン／オフスイッチ３−３のオフイベントの有無を判定する（Ｓ６９）。ここでオフイベント無しと判定されればこの処理を抜けるが、有りと判定されれば他の系列の少なくとも１つのオン／オフスイッチ３−３内蔵のＬＥＤが点灯しているか否か、つまり他の系列がオンであるか否かを判定する（Ｓ７０）。Ｓ７０で他の系列がオンでないと判定されればこの処理を抜けるが、オンであると判定されればオン中の系列の中で系列ナンバが小さい系列を選択し、該系列のセレクトスイッチ３−４内蔵のＬＥＤを点灯し（Ｓ７１）、さらに該系列の系列ナンバとその音色名をＬＣＤ３−１２に表示する（Ｓ７２）。
【００５７】
以上のように、ある系列のオン／オフスイッチ３−３のオンイベントに伴ってその系列のセレクトスイッチ３−４を自動的にオン状態にし、また、オフイベントに伴って、オン状態にある他の系列のセレクトスイッチ３−４を自動的にオン状態に変更することにより発音鍵域を含むもろもろのパラメータの設定の操作性を向上させることができる。なお、オン／オフスイッチ３−３のオフイベントに伴って、オン中の系列の中で系列ナンバが小さい系列を選択することとしたのは、ナンバの小さい系列が普通よく使われることが予測されるからであるが、どのような形態で系列を変更するかは適宜設定できる。
【００５８】
図７は、セレクトスイッチ処理（Ｓ３８）を示すフローチャートである。まず、セレクトスイッチ３−４のオンイベントの有無を判定し（Ｓ７３）、オンイベント有りと判定されれば、オンイベント有りの系列のセレクトスイッチ３−４内蔵のＬＥＤを点灯し、他の系列のセレクトスイッチ３−４内蔵のＬＥＤを消灯する（Ｓ７４）。次に、オンイベントの系列のナンバ(No.・・)とその音色名をＬＣＤ３−１２に表示する（Ｓ７５）。ここで、ＬＥＤが点灯しているセレクトスイッチ３−４の系列の音色は、音色設定用スイッチ３−１４により変更することができ、セレクトスイッチ３−４を長押しして発音鍵域を変更することもできる。
【００５９】
Ｓ７３でオンイベント無しと判定された場合およびＳ７５の処理後には、セレクトスイッチ３−４がオン中であるか否かを判定する（Ｓ７６）。ここでオン中でないと判定されればこの処理を抜けるが、オン中であると判定されれば、オン中に押鍵されたキーに基づいてその系列の発音範囲を設定する。このときＬＣＤ３−１２は新たに設定された発音範囲を表示する（Ｓ７７）。次に、その系列のオン／オフスイッチ３−３内蔵のＬＥＤが点灯しているか否か、つまりその系列がオンであるか否かを判定する（Ｓ７８）。Ｓ７８でオンでないと判定されればこの処理を抜けるが、オンであると判定されれば、ここで設定された発音鍵域がキーボード５の全鍵域か一部鍵域かに従ってオン／オフスイッチ３−３内蔵のＬＥＤを赤色または緑色で点灯する（Ｓ７９）。
【００６０】
以上では、オン／オフスイッチと内蔵ＬＥＤ、セレクトスイッチと内蔵ＬＥＤというように、スイッチ機能とその状態表示機能をＬＥＤ内蔵スイッチにより実現しているが、これに限定されるものではない。例えば、複数のオン／オフスイッチとその対応ＬＥＤ、および複数のセレクトスイッチとその対応ＬＥＤを一括表示する１つの大きなＬＣＤとＬＣＤ表面上に配置されたタッチパネルによってもそれを実現できる。
【図面の簡単な説明】
【００６１】
【図１】本発明が適用された電子楽器の一実施形態を示すブロック図である。
【図２】操作パネルの外観構成を示す正面図である。
【図３】ＭＰＵでのメインルーチンの一例を示すフローチャートである。
【図４】図３のフローチャートの続きである。
【図５】ロック機能のオン／オフおよび割り当て変更処理を示すフローチャートである。
【図６】オン／オフスイッチ処理を示すフローチャートである。
【図７】セレクトスイッチ処理を示すフローチャートである。
【図８】オン／オフスイッチがオンされたときの動作の説明図である。
【図９】オン／オフスイッチがオンされたときの動作の説明図である。
【符号の説明】
【００６２】
１・・・ＭＰＵ、２−１，２−２・・・ＭＩＤＩインタフェース、３・・・操作パネル、３−１・・・ホイール、３−２・・・メインボリューム、３−３・・・オン／オフスイッチ、３−４・・・セレクトスイッチ、３−５・・・音量バランス調整用ボリューム、３−６・・・内部出力および外部出力表示用ＬＥＤ、３−７・・・エフェクトなどのパラメータ設定用スイッチ、３−８・・・ロックスイッチ、３−９・・・エフェクトオン／オフスイッチ、３−１０・・・リバーブオン／オフスイッチ、３−１１・・・メニュー表示用アップ／ダウンスイッチ、３−１２・・・ＬＣＤ、３−１３・・・パラメータ値選択用アップ／ダウンスイッチ、３−１４・・・音色設定用スイッチ、３−１５・・・レジスト選択および呼出用スイッチ、３−１６・・・レジスト登録用スイッチ、４・・・パネルインタフェース、５・・・キーボード（鍵盤）、６・・・キーボードインタフェース、７・・・エックスプレッションペダル、８・・・Ａ／Ｄ変換器、９・・・フットスイッチ、１０・・・トーン発生器、１１・・・エフェクタ、１２・・・Ｄ／Ａ変換器、１３・・・サウンドシステム
【図１】
2006201348.tif 000003
【図２】
2006201348.tif 000004
【図３】
2006201348.tif 000005
【図４】
2006201348.tif 000006
【図５】
2006201348.tif 000007
【図６】
2006201348.tif 000008
【図７】
2006201348.tif 000009
【図８】
2006201348.tif 000010
【図９】
2006201348.tif 000011